(57)【要約】 【課題】  プールの底面に穴を設けることなく、運動用器具等の被固定物を固定するための固定具を提供する。【解決手段】  本発明の固定具は、水場の槽３の周囲に設けられたオーバーフロー用の排水溝４上に配置され、該排水溝４内に挿入される第１の挿入部２２を有する第１の固定部材７と、前記第１の固定部材７に対して前記排水溝４の方向に相対的に変位できるようにして前記排水溝４に配置され、該排水溝４内に挿入される第２の挿入部２６を有する第２の固定部材８と、前記第１の固定部材７と前記第２の固定部材８との間に前記排水溝４の方向に関して互いに離れる方向の力を作用させる固定力付与手段１７，１９，２３，３０，３１，３２，３３と、前記第１の固定部材７又は前記第２の固定部材８の少なくともいずれか一方に連結されかつ被固定物２が取付け可能な連結部材５と、を備える。【選択図】      図１
2007117293.tif 000002
【特許請求の範囲】
【請求項１】
水場の槽の周囲に設けられたオーバーフロー用の排水溝上に配置され、該排水溝内に挿入される第１の挿入部を有する第１の固定部材と、前記第１の固定部材に対して前記排水溝の方向に相対的に変位できるようにして前記排水溝に配置され、該排水溝内に挿入される第２の挿入部を有する第２の固定部材と、前記第１の固定部材と前記第２の固定部材との間に前記排水溝の方向に関して互いに離れる方向の力を作用させる固定力付与手段と、前記第１の固定部材又は前記第２の固定部材の少なくともいずれか一方に連結されかつ被固定物が取付可能な連結部材と、を備えることを特徴とする固定具。
【請求項２】
前記第１の挿入部と前記第２の挿入部との少なくともいずれか一方を複数備えていることを特徴とする請求項１に記載の固定具。
【請求項３】
請求項１又は２に記載の固定具と、該固定具の連結部材から槽内又は槽上に延びるようにして前記連結部材に取り付けられる被固定物と、を備えている水場の構造物。
【請求項４】
前記被固定物が、槽内に延びて槽壁に当接する当接部を備えていることを特徴とする請求項３に記載の水場の構造物。
【請求項５】
前記被固定物が、使用者がつかむ棒状部を有していることを特徴とする請求項３又は４に記載の水場の構造物。
【請求項６】
前記被固定物の前記当接部に吸盤が取り付けられていることを特徴とする請求項４又は５に記載の水場の構造物。
【発明の詳細な説明】
【技術分野】
【０００１】
本発明は、周囲にオーバーフロー用の排水溝が設けられたプール等の水場の槽に、被固定物を固定するための固定具、並びにその固定具及び被固定物を備える水場の構造物に関する。
【背景技術】
【０００２】
プール等の水場で行うストレッチ運動は、身体に対する負担が少なく、広い年齢層の者に適しているが、一方で浮力があることから、何かにつかまらないと運動しにくい。しかし、プールの側面は平坦に形成されているためつかまりにくく、またビート板等の浮き具を利用しても、これらの浮き具自体が固定されていないので身体を安定させることができない。このため、プールの底面、側面に運動用器具を固定する穴を設け、その穴に運動用器具を差し込む方法が知られている（例えば、特許文献１参照）。
【０００３】
【特許文献１】特開平８−２１５３４１号公報
【発明の開示】
【発明が解決しようとする課題】
【０００４】
しかし、このような方法によると、プールの底面等に穴を形成するための工事が必要で、また穴に汚れ等が溜まりやすいという問題がある。
【０００５】
そこで、本発明は、プールの底面に穴を設けることなく、運動用器具等の被固定物を固定するための固定具、及びその固定具と被固定物とを備える水場の構造物を提供することを目的とする。
【課題を解決するための手段】
【０００６】
本発明の固定具は、水場の槽（３）の周囲に設けられたオーバーフロー用の排水溝（４）上に配置され、該排水溝（４）内に挿入される第１の挿入部（２２）を有する第１の固定部材（７）と、前記第１の固定部材（７）に対して前記排水溝（４）の方向に相対的に変位できるようにして前記排水溝（４）に配置され、該排水溝（４）内に挿入される第２の挿入部（２６）を有する第２の固定部材（８）と、前記第１の固定部材（７）と前記第２の固定部材（８）との間に前記排水溝（４）の方向に関して互いに離れる方向の力を作用させる固定力付与手段（１７，１９，２３，３０，３１，３２，３３）と、前記第１の固定部材（７）又は前記第２の固定部材（８）の少なくともいずれか一方に連結されかつ被固定物（２）が取付け可能な連結部材（５）と、を備えることにより上記課題を解決する。
【０００７】
本発明によると、第１の固定部材の第１の挿入部と、第２の固定部材の第２の挿入部をプール等の水場の槽の周囲に設けられたオーバーフロー用の排水溝に挿入し、第１の固定部材に対して第２の固定部材を相対的に変位させることができる。そして、固定力付与手段によって第１の固定部材と第２の固定部材との間に排水溝の方向に関して互いに離れる方向の力を作用させることによって、前記第１の固定部材と第２の固定部材とを排水溝に対して固定することができる。更に、連結部材に被固定物を取付け、その連結部材を第１の固定部材又は第２の固定部材の少なくともいずれか一方に連結することにより、被固定物を、槽の底面や側面に取付け用の穴を設けることなく槽に対して固定することができる。
【０００８】
更に、前記固定具（１）は、前記第１の挿入部（２２）と前記第２の挿入部（２６）との少なくともいずれか一方を複数備えていてもよい。このように、第１の挿入部と第２の挿入部とを複数備えれば、固定具が排水溝の内面と複数の箇所で接することができ、固定具と排水溝との間の一つの接触箇所に加わる力が分散し、一箇所で接している場合と比べて安定した固定ができる。
【０００９】
また、本発明の水場の構造物（１Ａ）は、前記固定具（１）と、該固定具（１）の前記連結部材（５）から槽（３）内又は槽（３）上に延びるようにして前記連結部材（５）に取り付けられる被固定物（２）と、を備えることにより上記課題を解決する。この構造物において、被固定物は連結部材に取り付けられ、その連結部材は排水溝に固定される第１の固定部材又は第２の固定部材の少なくともいずれか一方に連結されているため、被固定物が排水溝、ひいては水場の槽に対して固定される。したがって、被固定物を、槽の底面や側面に取付け用の穴を設けることなく槽に対して固定することができる。
【００１０】
前記被固定物（２）は、槽（３）内に延びて槽壁（５０）に当接する当接部（５１）を備えていてもよい。これによると、被固定物に外力が加わった場合、当接部が槽壁を押し、槽壁からの抗力によっても被固定物が支えられるため、被固定物をより安定して固定することができる。
【００１１】
前記被固定物（２）が、使用者がつかむ棒状部（２Ａ）を有していてもよい。水中運動を行う場合の運動補助用の器具としての被固定物が棒状部を有していれば、運動をする際にその棒状部をつかむことができる。そしてこのような棒状部をつかむことによって体を安定させることができ、身体を浮かせたり足を上げたりする運動を行うことが容易に行うことができる
【００１２】
また、前記被固定物（２）の前記当接部（５１）に吸盤（５２）を取り付けてもよい。これによると、被固定物をより安定して支えることができる。
【００１３】
なお、以上の説明では本発明の理解を容易にするために添付図面の参照符号を括弧書きにて付記したが、それにより本発明が図示の形態に限定されるものではない。
【発明の効果】
【００１４】
本発明の固定具によれば、プール等の槽に被固定物を取り付ける際に、オーバーフロー用の排水溝を利用して取り付けるため、槽自体に特別な工事を行う必要がなく、工事のための費用がかかることない。
【発明を実施するための最良の形態】
【００１５】
図１は、本発明の一形態の固定具１と、棒状部２Ａを有する被固定物である運動補助用パイプ２とを備えた水場の構造物１Ａを、水場の槽であるプール３の周囲に設けられたオーバーフロー用の排水溝４に取り付けた状態を示した図である。なお、本形態の固定具１は、連結部材５と固定具本体６とを備えるが、図１で示した取り付けた状態では、運動補助用パイプ２が取り付けられた連結部材５のみ外部から見ることができる。
【００１６】
図２は、図１の状態から、運動補助用パイプ２が取り付けられた連結部材５を取り外した状態を示した図で、固定具本体６が排水溝４に取り付けられている。なお、本明細書において、「前」とは、排水溝４に固定具１を取り付けた状態でのプール３側をいい、「後」とはその反対側をいう。また、本発明の固定具１は、ステンレス鋼で製造するが、これに限定されず、水場で使用した場合に錆等が発生しにくく、ある程度の強度が保たれる材質であればよい。
【００１７】
図３は、排水溝４から取り外した固定具本体６の斜視図であり、固定具本体６は、第１の固定部材であるベース７と、第２の固定部材であるスライド部材８とを備える。図示したように、第１の固定部材７は、一定の間隔で互いに平行かつ水平に配置された一対の第１角筒状部材１０を備え、各々の第１角筒部材１０の両端の上面には、それぞれ上穴１１が設けられ、上穴１１の内側にはナット１２が溶接されている。また、第１角筒部材１０を挟んで、第１角筒部材１０の両端の開口部１３を塞ぐように、一対の第２角筒部材１４が平衡且つ水平に配置され、第１角筒部材１０と第２角筒部材１４とで四角形の４辺を形成するように溶接されている。そして、その２本の第２角筒部材１４の両側面には、その両側面を貫通する一対の側穴１５が、それぞれ２組ずつ設けられている。また、第２角筒部材１４の後方の開口部１６には、当該開口部１６をふさぐように矩形の板部材１７が溶接されている。そして、その板部材１７の中央には後穴１８が設けられ、後穴１８の内側にはナット１９が溶接されている。また、ベース７は、更に一対のＬ字形部材２０を備える。このＬ字形部材２０は、図１及び図２に示した排水溝４の蓋９に設けられたスリット９Ａの幅より薄い板材で形成されており、第２角筒部材１４の外側面２１の前端から当該外側面２１に沿って水平に延びた後、直角に下方に延びる逆Ｌ字状態で溶接され、下方に延びるＬ字の一辺は、垂直下方に延びる第１の挿入部２２を形成している。
【００１８】
スライド部材８は、帯状部材の前約半分の下方に台形部材が結合されたような形の板材から形成されたもので、この板材も、Ｌ字形部材２０と同様に排水溝４の蓋９のスリット９Ａの幅より薄い。そして帯状部の後部は垂直に折り曲げられて折曲部２３が形成され、その折曲部には丸穴２４が設けられている。また、帯状部の前部には２つの長穴２５が設けられている。そして台形部は、その後辺が垂直下方に延びた第２の挿入部２６を形成している。
【００１９】
このスライド部材８は、ベース７の第２角筒部材１４の外側面２１に配置され、スライド部材８の長穴２５から第２角筒部材１４の一対の側穴１５を貫通してボルト２７が挿入され、そのボルト２７は第２角筒部材１４の内側面側２８においてナット２９で固定されている。また、スライド部材８の折曲部２３の丸穴２４からは押圧ボルト３０が挿入され、その押圧ボルト３０は、丸穴２４を通ってナット３１及びナット３２，３３を貫通し、更に、板部材１７とを貫通し、板部材１７の後穴１８を通ってナット１９に挿入されている。なお、ここで、板部材１７，ナット１９，曲折部２３，ナット３１，３２，３３は固定力付与手段として機能する。
【００２０】
図４は運動補助用パイプ２が連結された連結部材５である。連結部材５は、矩形の上板４０と、その上板４０の前縁部から垂直下方に延びる前板４１とを備える。また、上板４０の、後縁部及び両側縁部も垂直下方に延び、前板４１より幅の狭い側縁部４２が形成されている。上板４０の中央には、上板４０の長手方向に沿って４本の隆起部４３が２本ずつ並列し、上板４０の長手方向に対する曲げ強度を強化している。また、隆起部４３の外側には、長穴４４が、各側同数設けられている。また前板４１には、運動補助用パイプ２を取り付けるための結合部４５が溶接されており、この結合部４５は、前板に溶接される平板材４６と、その平板材４６の両端から前方に延びる腕部４７を備え、その両腕部４７の先端には、両先端を貫通して左右に突き出す円筒部材４８が取り付けられている。更に、両腕部４７の内側面の、平板材４６と円筒部材４８との間には両腕部を結合して補強する補強部材４９が取り付けられている。また、円筒部材４８の外周には、把持に適した柔軟な材質でできたカバー５４が取り付けられている。
【００２１】
両腕部４７の両側から突き出した円筒部材４８の両端には、２本の対称な運動補助用パイプ２が挿入され、ねじ５５で固定されている。この運動補助用パイプ２は、図４及び図１に示したように、それぞれ結合部４５の先端からプールの槽３内を側壁５０に沿って延びた後、前方に湾曲して延び、その後滑らかに下方に向かって湾曲し、更にプール壁側５０に向かって延び、先端が当接部５１となってプール側壁５０と当接するようになっている。なお、この当接部５１には滑りを防止するために吸盤５２が取り付けられている。なお、この吸盤５２は任意であって吸盤を取り付けない構造であってもよい。また吸盤５２の代わりに当接部５１にゴム材等の滑りにくい材質を貼着することにより滑りを防止してもよい。
【００２２】
次に、図２及び図５を参照して、固定具本体６の排水溝４への取付け方法について説明する。図５はプールの排水溝４に固定具本体６を取り付けた状態を示した、図２のV−V線に沿った断面図である。まず、ボルト２７及び押圧ボルト３０が緩んだ状態で、固定具本体６を排水溝４上に載せ、蓋９のスリット９Ａから排水溝４内に、ベース７の第１の挿入部２２と、スライド部材８の第２の挿入部２６とを入れる。この際、第１の挿入部２２と第２の挿入部２６とを有するＬ字形部材２０とスライド部材８とは、排水溝４の蓋９のスリット９Ａよりも薄い板材で形成されているため、スリット９Ａに挿入することができ、蓋９を外さなくとも、排水溝４に取り付けることができる。
【００２３】
そして第１の挿入部２２の前辺の垂直部を排水溝４の前側面６０に当接させ、次にスライド部材８を長穴２５に沿って後方にスライドさせて、第１の挿入部２２と第２の挿入部２６との間隔を調整し、第２の挿入部２６の後辺を排水溝４の後側面６１に当接させる。次に、押圧ボルト３０に取り付けられているナット３１を回転して、曲折部２３を後方に押す。そして、曲折部２３を十分に後方に押し付け、第１の挿入部２２が前側面６０を押しかつ第２の挿入部２６が後側面６１に押している状態で、ナット３２によりナット３１を固定する。そしてナット３３を板部材１７の方向に回転させて板部材１７をナット３３とナット１９との間に固定し、更にボルト２７を図３に示したナット２９によって固定する。
【００２４】
以上、本形態によると、水場の槽３の周囲に設けられたオーバーフロー用の排水溝４上に配置され、該排水溝４内に挿入される第１の挿入部２２を有するベース７と、ベース７対して排水溝４の方向に相対的に変位できるようにして排水溝４に配置され、排水溝４内に挿入される第２の挿入部２６を有するスライド部材８とを備える。そして、板部材１７，ナット１９，曲折部２３，ナット３１，３２，３３によってベース７とスライド部材８との間に排水溝４の方向に関して互いに離れる方向の力を作用させることができ、ベース７とスライド部材８とを排水溝４に対してしっかりと固定することができる。この場合、第１の挿入部２２と第２の挿入部２６との間の距離が可変であるため、排水溝４が異なる場合にも、その幅に合わせて調節することができ、汎用性もある。
【００２５】
次に、図１参照して、連結部材５を固定具本体６に取り付ける方法を説明する。まず、連結部材５を固定具本体６上に載置し、前板４１をプール側壁５０に当接させる。そして上板４０の長孔４４から固定具本体６の上穴１１にボルト５３を挿入して固定する。その際、運動補助用パイプ２の先端はプール側壁５１と当接して、吸盤５２によりプール側壁５１に吸着し、運動補助用パイプ２が移動しにくくなる。
【００２６】
以上、本形態によると、運動補助用パイプ２が取り付けられた連結部材５を、固定具本体６にボルト５３により容易に取り付けることができる。また固定具本体６と連結部材５とが着脱可能であるため、運動補助用パイプ２を使用しない場合には、固定具本体６のみ排水溝４に取り付けておき、運動補助用パイプ２を使用するときだけ連結部材５と共に固定具本体６に取り付けることができ、使用の度に固定具本体６を排水溝４に着脱する必要がないため、取付けに手間がかからない。
【００２７】
図６は、本固定具１により被固定物である運動補助用パイプ２をプールの槽３内に取り付けて使用している様子を示した図であり、使用者は、図６に示したように運動補助用パイプ２につかまってストレッチ等の運動をすることができる。本形態の固定具１により固定した運動補助用パイプ２によると、例えば、特に図６の（ｂ），（ｄ），（ｆ）のような運動をした場合、運動補助用パイプ２に下向きの力が加わり、結合部４５を中心したモーメントが発生し、連結部材５や固定具本体６の後方が持ち上がる可能性がある。しかし、そのモーメントは、運動補助用パイプ２の先端がプール側壁５０と当接しているため、プール側壁５０の当接部５１への抗力によって低減される。また、前板４１がプール側壁５０と接しているため、前板４１がプール側壁５０を押し、この力によってもモーメントは低減され、更に、図５に示した第２の挿入部２６が排水溝４の後側面６１を押す力によって低減される。また、運動補助用パイプ２を上に持ち上げた場合の、固定具本体６の前方が持ち上がる方向のモーメントは、第１の挿入部２２が排水溝４の前側面６０を押す力によって低減される。
【００２８】
以上、本発明の好適な形態について説明したが、本発明は、上述した形態に限定されることなく、種々の形態にて実施してよい。
【００２９】
例えば、連結部に運動補助用パイプを直接連結するのではなく、図７に示したように、連結部材の上板に対して更に着脱可能な着脱板１０１を介して運動補助用パイプ１０２を固定具１に取り付けてもよい。このようにすることにより、被固定物の着脱をより容易にすることができる。
【００３０】
また、同様に図７に示したように、運動補助用パイプ１０２を着脱板１０１に取り付ける結合部１０３は、図１に示したように前板、すなわち取付具１の側部に設けるのではなく、着脱板１０１の上面１０４に取り付けることもできる。この場合、結合部１０３を腕部１０５と、直方体の補強部１０７とで形成することもできる。この場合、腕部１０５は１枚の板材から形成し、その一端に下から切れ目１０９を入れ、その切れ目１０９より後部１０８を垂直に折り曲げる。そして、補強部１０７を着脱板１０１上の上面１０４取り付け、その補強部１０７の両側面１０７と上面１０４とで形成される直角の部分に、腕部１０５の折り曲げた後部１０８を取り付けることもできる。この場合、折り曲げた後部１０８の垂直部分は側面１０７にねじ止めし、水平部分は上面１０４にねじ止めする。このようにすることにより、運動補助用パイプ１０２の上下動によるモーメントの影響をより受けにくい構造となる。
【００３１】
更に、運動補助用パイプと腕部との接合方法も、上述の形態に限定されず、例えば図８に示したように、運動補助用パイプ１０２と腕部１０５とを、接合部材１１０を使用して取り付けることもできる。この変形例において接合部材１１０は、例えばＰＯＭ（ポリオキシメチレン）等の高分子でできた円柱部材で、その円柱部材の一方に、運動補助用パイプ１０２の内径より若干大きい大径部１１１を備える。また、他方に、腕部１０５の間に配置される円筒部材１１２の内径と略同径の小径部１１３を備える。そして、大径部１１１と小径部１１３との間には、円周に沿って溝１１４が設けられている。取り付ける場合、まず、接合部材１１０の大径部１１１が運動補助用パイプ１０２に圧入する。次に、両腕部１０５の先端に設けられかつ円筒部材１１２の内径と同径で形成された丸穴１１５に小径部１１３を貫通し、更に小径部１１３を円筒部材１０８に挿入し、円周に設けられた溝１１４にＥリング１１６を挟むことによって運動補助用パイプ１０２を腕部１０５に固定する。
【００３２】
また、上述の本形態では、被固定物として運動補助用パイプを例に説明したが、これに限定されず、例えばプールの装飾具、モニタ等であってもよい。
【図面の簡単な説明】
【００３３】
【図１】本発明の固定具により、運動補助用パイプを排水溝に取り付けた状態を示した図。
【図２】図１の状態から、運動補助用パイプが取り付けられた連結部材を取り外した状態を示した図。
【図３】排水溝から取り外した固定具本体の斜視図。
【図４】運動補助用パイプが連結された連結部材の斜視図。
【図５】プールの排水溝に、固定具本体を取り付けた状態を示した、図２のV−V線に沿った断面図。
【図６】本発明の固定具により運動補助用パイプをプールに取り付けて使用した場合を示した図。
【図７】運動補助用パイプの取付け方の変形例を示した図。
【図８】運動補助用パイプの取付け方の変形例を示した図。
【符号の説明】
【００３４】
１  固定具
１Ａ  水場の構造物
２  運動補助用パイプ（被固定物）
２Ａ  棒状部
３  プール（槽）
４  排水溝
５  連結部材
７  ベース(第１の固定部材）
８  スライド部材（第２の固定部材）
１７  板部材(固定力付与手段）
１９  ナット(固定力付与手段）
２２  第１の挿入部
２３  折曲部(固定力付与手段）
２６  第２の挿入部
３０  押圧ボルト(固定力付与手段）
３１  ナット(固定力付与手段）
３２  ナット(固定力付与手段）
３３  ナット(固定力付与手段）
５０  槽壁
５１  当接部
５２  吸盤
【図１】
2007117293.tif 000003
【図２】
2007117293.tif 000004
【図３】
2007117293.tif 000005
【図４】
2007117293.tif 000006
【図５】
2007117293.tif 000007
【図６】
2007117293.tif 000008
【図７】
2007117293.tif 000009
【図８】
2007117293.tif 000010